【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
歯科矯正力モジュールアセンブリであって、
近位端及び遠位端の間に延在する中空内部、近位端の近位開口部、及び遠位端の遠位開口部を有する外側本体、
当該外側本体の遠位開口部及び中空内部を通って摺動可能に位置決め可能なプランジャであって、使用中に、当該プランジャの少なくとも近位端が外側本体の中空内部内に位置決めされるプランジャ、
当該外側本体の中空内部内に位置決め可能なスプリングであって、使用中に、当該プランジャに当接し且つ外側本体に対してのプランジャの近位方向運動に抵抗するように構成されたスプリング、
当該近位開口部及び外側本体の中空内部を通って摺動可能に位置決め可能なプッシュロッドであって、使用中に、当該プッシュロッドの少なくとも遠位端が外側本体の中空内部内に位置決めされるプッシュロッド、及び
当該プッシュロッドに配置され、使用中に、外側本体に対するプッシュロッドの遠位方向移動を制限する戻り止め、を備え、
当該外側本体、プランジャ、スプリング、プッシュロッド、及び戻り止めは、当該プッシュロッドが、使用中に、外側本体の中空内部を通って所定距離摺動して前進されたとき、外側本体に対しての当該プランジャの近位方向移動が当該スプリングの圧縮を引き起こし、当該プランジャを外側本体に対して遠位方向に付勢する対抗力を提供するように協力することを特徴とする歯科矯正力モジュールアセンブリ。
【請求項２】
歯科矯正力モジュールであって、
近位端及び遠位端の間に延在する中空内部、近位端の近位開口部、及び遠位端の遠位開口部を有する外側本体、
当該外側本体の遠位開口部及び中空内部を通って少なくとも部分的に摺動可能に配置されたプランジャ、
当該外側本体の中空内部内に位置決めされるスプリングであって、使用中に、当該プランジャに当接し且つ外側本体に対してのプランジャの遠位方向運動に抵抗するスプリング、
当該近位開口部及び外側本体の中空内部を通って摺動可能に位置決め可能なプッシュロッドであって、使用中に、当該プッシュロッドの少なくとも遠位端が外側本体の中空内部内に位置決めされるプッシュロッド、及び
当該プッシュロッドに配置され、使用中に、外側本体に対するプッシュロッドの遠位方向移動を制限する戻り止め、を備え、
当該外側本体、プランジャ、スプリング、プッシュロッド、及び戻り止めは、当該プッシュロッドが、使用中に、外側本体の中空内部を通って所定距離摺動して前進されたとき、外側本体に対しての当該プランジャの近位方向移動が当該スプリングの圧縮を引き起こし、当該プランジャを外側本体に対して遠位方向に付勢する対抗力を提供するように協力することを特徴とする歯科矯正力モジュール。
【請求項３】
当該プッシュロッドは、当該スプリングの軸方向の通路を通って摺動可能に位置決め可能なような、直径を有していることを特徴とする請求項１又は２に記載の矯正力モジュール又は力モジュールアセンブリ。
【請求項４】
当該プランジャは、当該スプリングが圧縮されるとき、当該プッシュロッドの一部を摺動自在に受容するように構成された軸方向の通路を有していることを特徴とする請求項３に記載の矯正力モジュール又は力モジュールアセンブリ。
【請求項５】
当該外側本体、プランジャ、スプリング、及びプッシュロッドは、使用中に、入れ子配列を形成することを特徴とする請求項４に記載の矯正力モジュール又は力モジュールアセンブリ。
【請求項６】
当該外側本体の遠位端に遠位端キャップ及び当該外側本体の近位端に近位端キャップをさらに備え、当該遠位端及び近位端キャップは、使用中に、外側本体の中空内部に当該スプリングを閉じ込めることを特徴とする請求項１又は２に記載の矯正力モジュール又は力モジュールアセンブリ。
【請求項７】
当該プランジャは、拡大された近位端をさらに備え、当該遠位端キャップは、使用中に、外側本体の中空内部内にプランジャの当該拡大された近位端を閉じ込めるように、プランジャの当該拡大された近位端よりも小さい遠位通路を提供する一方、プランジャの残りの部分が遠位端キャップの遠位通路を通って摺って移動するのを可能にすることを特徴とする請求項６に記載の矯正力モジュール又は力モジュールアセンブリ。
【請求項８】
当該近位端キャップは、戻り止めの近位通路の通過を防止するように、当該プッシュロッドの戻り止めより小さい近位通路を提供する一方、プッシュロッドの残りの部分が近位端キャップの近位通路を通って摺って移動するのを可能にすることを特徴とする請求項６に記載の矯正力モジュール又は力モジュールアセンブリ。
【請求項９】
近位端キャップは、当該スプリングの軸方向の通路を通って位置決め可能である中空の遠位方向延長部をさらに備えることを特徴とする請求項８に記載の矯正力モジュール又は力モジュールアセンブリ。
【請求項１０】
当該プランジャの遠位端又はその近傍でブラケット及び/又はアーチワイヤへ取付けるための遠位取付け手段、及び当該プッシュロッドの近位端又はその近傍でアーチワイヤ及び/又はブラケットへ取付けるための近位取付け手段をさらに備えることを特徴とする請求項１又は２に記載の矯正力モジュール又は力モジュールアセンブリ。
【請求項１１】
当該近位取付け手段はフックを備える、ことを特徴とする請求項１０に記載の矯正力モジュール又は力モジュールアセンブリ。
【請求項１２】
当該遠位取付け手段は、プランジャの遠位端又はその近傍のフランジ、及び当該フランジから延びる曲折可能でバッカルチューブに挿入可能なワイヤを備えることを特徴とする請求項１又は２に記載の矯正力モジュール又は力モジュールアセンブリ。
【請求項１３】
当該遠位取付け手段は、
取付け本体に枢動可能に取付けられ、バッカルチューブ又は他の歯列矯正器具の通路に挿入可能であるピン部材、及び
スナップ嵌合の関係で、当該ピンを選択的にロック及びロック解除する、取付け本体のラッチ部材、
を備えることを特徴とする請求項１又は２に記載の矯正力モジュール又は力モジュールアセンブリ。
【請求項１４】
当該力モジュールは、使用中に、プラーク又は食物かすを収集するスペース又はポケットを実質的に含まない実質的に滑らかな外面を提供することを特徴とする請求項１に記載の矯正力モジュール。
【請求項１５】
請求項１又は２に記載の矯正力モジュール又は力モジュールアセンブリ、及び
矯正力モジュール又は力モジュールアセンブリを歯科矯正バッカルチューブ、アーチワイヤ又は他の歯列矯正器具に解放可能に取付けるための装置を備えるシステムであって、当該装置は、
矯正力モジュールの端部に剛性の本体を取付けるための手段を備える剛性の本体、
取付け本体に回動可能に取付けられ、歯科矯正バッカルチューブ又は他の歯科矯正器具の通路内に挿入可能に構成されたピン部材、及び
取付け本体のラッチ部材であって、ラッチ部材に向かって又は離れて選択的に旋回されたとき、スナップ嵌め関係で当該ピンを選択的にロック及びロック解除するラッチ部材ラッチ部材、
を備えることを特徴とするシステム。
【請求項１６】
当該剛性の本体を矯正力モジュールの端部に取付けるための手段は、突出部又は凹部の少なくとも１つを備えることを特徴とする請求項１５に記載の装置。
【請求項１７】
当該剛性の本体、ピン部材、及びラッチ部材は、一種類以上の金属からなることを特徴とする請求項１５に記載の装置。
【請求項１８】
当該ラッチ部材は、ピン部材が当該ラッチ部材に挿入され又はそれから取外されたとき、一時的に離れて広がる一対の離間突出部を備えることを特徴とする請求項１５に記載の装置。
【請求項１９】
当該ピン部材は、通路に挿入されたとき、ピン部材の遠位端がラッチ部材によって受容されるのを可能にするため、当該ピン部材の遠位端が通路を越えて延びることができるように、歯科矯正バッカルチューブ又は他の歯列矯正器具を通る通路の長さよりも大きい長さを有することを特徴とする請求項１５に記載の装置。
【請求項２０】
矯正力モジュールアセンブリであって、
近位端と遠位端との間に延びる外側本体、
当該外側本体の遠位開口部及び中空内部を通って摺動可能に位置決め可能なプランジャ、
当該外側本体の中空内部内に位置決め可能で、使用中に、当該プランジャに当接するように構成されたスプリング、及び
当該外側本体の近位開口部及び中空内部を通って摺動可能に位置決め可能なプッシュロッドであって、使用中に、当該プッシュロッドの遠位方向への移動を制限する戻り止めを有するプッシュロッド、
を備えることを特徴とする矯正力モジュールアセンブリ。
【請求項２１】
矯正力モジュールであって、
近位端と遠位端との間に延びる外側本体、
当該外側本体の遠位開口部及び中空内部を通って少なくとも部分的に摺動可能に配置されたプランジャ、
当該中空内部内に配置され、当該プランジャに当接するスプリング、及び
当該外側本体の近位開口部及び中空内部を通って摺動可能に位置決めされ遠位端を有するプッシュロッドであって、当該プッシュロッドの遠位方向への移動を制限する戻り止めを有するプッシュロッド、
を備えることを特徴とする矯正力モジュール。